(57)【要約】【課題】本発明は、３極の接続とし、さらに改良を加えることによってソケット及び口金を小型化したＬＥＤ照明装置を提供することを目的とする。【解決手段】本発明に係る電源装置側ソケットＡは、ＬＥＤ照明器具をＬＥＤ電源装置に取り付けるための電源装置側ソケットであって、前記ＬＥＤ電源装置は、供給される商用交流電流を調光信号及び色温度信号により制御した定電流の直流電流を、前記電源装置側ソケットを介して、ＬＥＤ照明器具に出力し、前記電源装置側ソケットは、ＬＥＤ照明器具と電気的に接続する３つの接点２１、２２、２３を備え、ＬＥＤ照明装置を取り付けるための３つの取付用穴が形成されており、前記取付用穴は、１つの中心穴１１と、前記中心穴を中心とする円周に沿って形成された２つの長穴１２、１３とからなり、前記電源装置側ソケットに備える各接点は、前記取付用穴のそれぞれの電源装置側ソケット内に設けられていることを特徴とする。【選択図】図１
2020173929.tif 000002
【特許請求の範囲】
【請求項１】
ＬＥＤ照明器具をＬＥＤ電源装置に取り付けるための電源装置側ソケットであって、
前記ＬＥＤ電源装置は、供給される商用交流電流を調光信号及び色温度信号により制御した定電流の直流電流を、前記電源装置側ソケットを介して、ＬＥＤ照明器具に出力し、
前記電源装置側ソケットは、ＬＥＤ照明器具と電気的に接続する３つの接点を備えている
ことを特徴とする電源装置側ソケット。
【請求項２】
前記電源装置側ソケットにおける３つの接点は、ＬＥＤ照明器具に対する調光制御用接点と調色制御用接点とを含む
ことを特徴とする請求項１に記載の電源装置側ソケット。
【請求項３】
前記電源装置側ソケットには、ＬＥＤ照明装置を取り付けるための３つの取付用穴が形成されており、
前記取付用穴は、１つの中心穴と、前記中心穴を中心とする円周に沿って形成された２つの長穴とからなり、
前記電源装置側ソケットに備える各接点は、前記取付用穴のそれぞれの電源装置側ソケット内に設けられている
ことを特徴とする請求項１又は２に記載の電源装置側ソケット。
【請求項４】
前記電源装置側ソケットには、ＬＥＤ照明装置を取り付けるための３つの取付用穴が形成されており、
前記取付用穴は、前記電源装置側ソケットに設定された基準点を中心とする円周に沿って形成された３つの長穴からなり、
前記電源装置側ソケットに備える各接点は、前記取付用穴のそれぞれの電源装置側ソケット内に設けられている
ことを特徴とする請求項１又は２に記載の電源装置側ソケット。
【請求項５】
ＬＥＤ照明器具をＬＥＤ電源装置に取り付けるための照明器具側口金であって、
前記ＬＥＤ照明器具は、複数の発光部を備えるＬＥＤモジュールを備え、前記口金を介して、ＬＥＤ電源装置からの商用交流電流を調光信号及び色温度信号により制御した定電流の直流電流が前記ＬＥＤモジュールに入力され、
前記口金は、ＬＥＤ電源装置と電気的に接続する３つの接点を備えている
ことを特徴とする照明器具側口金。
【請求項６】
前記照明器具側口金には、電源装置側ソケットに嵌合する３本の取付用軸が形成されており、
前記取付用軸は、中心に設けられた中心軸と、前記中心軸を中心とする円周に沿って形成された２つの周辺軸とからなり、
前記取付用軸のそれぞれは、前記照明器具側口金の接点を構成する
ことを特徴とする請求項５に記載の照明器具側口金。
【請求項７】
前記照明器具側口金には、電源装置側ソケットに嵌合する３本の取付用軸が形成されており、
前記取付用軸は、前記照明器具側口金に設定された基準点を中心とする円周に沿って形成された３つの軸からなり、
前記取付用軸のそれぞれは、前記照明器具側口金の接点を構成する
ことを特徴とする請求項５に記載の照明器具側口金。
【請求項８】
前記請求項３に記載の電源装置側ソケットと、前記請求項６に記載の照明器具側口金とを備える
ことを特徴とするＬＥＤ照明装置。
【請求項９】
前記請求項４に記載の電源装置側ソケットと、前記請求項７に記載の照明器具側口金とを備える
ことを特徴とするＬＥＤ照明装置。
【発明の詳細な説明】
【技術分野】
【０００１】
本発明は、ＬＥＤ照明装置に関し、特にＬＥＤを光源とするＬＥＤモジュールに取り付けるＬＥＤ照明装置用のソケット及び口金に関する。
【背景技術】
【０００２】
今日では、ＣＯ２削減という環境的な問題を考慮し、照明装置の分野において、白熱電球や蛍光灯に代えて、省電力化に優れ、長寿命のＬＥＤを光源に使用したＬＥＤ照明装置が一般に採用されてきており、種々の用途に使用されているのが現状である。
【０００３】
また、従来の白熱電球のように照明の明るさ（光量）を調節できる調光機能を有するＬＥＤ照明装置が増加してきている。調光とは、光源の光出力を変化させることにより光量を調節することをいう。
【０００４】
さらに、使用環境や要望に応じて調色が可能なＬＥＤ照明装置も開発されてきている。調色とは、色温度が異なる複数種の光源を点灯してそれらの光出力を混光し、中間的な色温度の光出力に調節することをいう。
【０００５】
特に、今日の技術では、ＬＥＤランプとして、赤、緑及び青の３原色でそれぞれ発光する３種類のＬＥＤが開発され、ＬＥＤにおけるこれら３色の輝度を個別に調整することにより、ＬＥＤランプの照明光の光量の調整（調光）や色調の調整（調色）が可能なＬＥＤ照明装置が開発されている。
【０００６】
特許文献１には、調光及び調色が可能なＬＥＤ照明器及びＬＥＤ照明システムが示されている。当該ＬＥＤ照明システムにおいては、白熱電球に代わってＬＥＤ照明器がソケットやコネクタを介して給電線と電気的に接続されており、ＬＥＤ照明器には、ＬＥＤ発光部、検出回路やマイクロコンピュータ等から構成される解析部、調光手段としての定電流回路等を含むＬＥＤ駆動部などが内蔵されている。
【０００７】
しかしながら、前記ＬＥＤ照明器は、ＬＥＤ発光部自体は長寿命であるとしても、白熱電球の際に使用していたソケットをそのまま使用できるようにしたため、ＬＥＤ照明器自体に電源部の一部を内蔵せざるを得ないことになり、白熱電球に比較して、重量があり、かつ、高価であったので、白熱電球や蛍光灯からＬＥＤ照明器に直ぐには移行できないのが現状である。
【０００８】
特許文献２に示されるＬＥＤ電源装置及びＬＥＤ照明器具においては、定電流電源回路をＬＥＤ電源装置側に移し、ＬＥＤ発光部によって構成されるＬＥＤモジュールとは直流電流のみが流れる構成としたものであり、安価で軽量なＬＥＤ照明器、いわゆるＬＥＤ電球が開発された。
【０００９】
しかしながら、白熱電球から前記のＬＥＤ電源装置及びＬＥＤ照明器具に取り換えるとすれば、白熱電球の際に使用していたソケットが使用できないだけでなく、電源部分からＬＥＤ電球までの全てを取り換える必要がある。
【００１０】
また、特許文献２において開発されたものは回路であって、実際には変更を要求されるソケットや口金の開発は後回しになっていた。
【００１１】
そこで、特許文献３に示されるＬＥＤ電球用口金、受け金（ソケット）、ＬＥＤ電球、ＬＥＤ電球ユニットが開発された。
【先行技術文献】
【特許文献】
【００１２】
【特許文献１】特開２０１３−１２４５５号公報
【特許文献２】特開２０１１−２５８５１７号公報
【特許文献３】特開２０１８−１４７７５０号公報
【発明の概要】
【発明が解決しようとする課題】
【００１３】
しかしながら、特許文献３に示されるＬＥＤ電球用口金は、主面を有する口金基体と、 前記主面上に周方向に離間して４箇所に設けられた孔部と、４箇所の前記孔部のそれぞれに挿通され、前記口金基体の前記主面側においてＬ字型に屈曲した屈曲部を含む、導電性部材からなる端子とを有するものであり、受け金（ソケット）は、主面を有する受け金基体を有し、前記受け金基体は、当該受け金基体の前記主面上において、径方向に係る幅が長い第一領域と、前記径方向に係る幅が前記第一領域よりも短い第二領域とが周方向に連結されてなる端子受け溝部が、周方向に離間して４箇所に設けられている構成である。
【００１４】
そのために、口金及びソケットの内部構造が複雑になり、口金及びソケットが大型にならざるを得なかった。
【００１５】
そこで、本発明者は、鋭意研究を重ねて、３極の接続とし、さらに改良を加えることによってソケット及び口金を小型化したＬＥＤ照明装置を開発した。
【課題を解決するための手段】
【００１６】
本発明に係る電源装置側ソケットは、ＬＥＤ照明器具をＬＥＤ電源装置に取り付けるための電源装置側ソケットであって、前記ＬＥＤ電源装置は、供給される商用交流電流を調光信号及び色温度信号により制御した定電流の直流電流を、前記電源装置側ソケットを介して、ＬＥＤ照明器具に出力し、前記電源装置側ソケットは、ＬＥＤ照明器具と電気的に接続する３つの接点を備えていることを特徴とする。
【００１７】
また、本発明に係る電源装置側ソケットは、上記の構成に加えて、前記電源装置側ソケットにおける３つの接点は、ＬＥＤ照明器具に対する調光制御用接点と調色制御用接点とを含む構成としてもよい。
【００１８】
さらに、本発明に係る電源装置側ソケットは、上記の各構成に加えて、前記電源装置側ソケットには、ＬＥＤ照明装置を取り付けるための３つの取付用穴が形成されており、前記取付用穴は、１つの中心穴と、前記中心穴を中心とする円周に沿って形成された２つの長穴とからなり、前記電源装置側ソケットに備える各接点は、前記取付用穴のそれぞれの電源装置側ソケット内に設けられている構成としてもよい。
【００１９】
さらにまた、本発明に係る電源装置側ソケットは、上記の各構成に加えて、前記電源装置側ソケットには、ＬＥＤ照明装置を取り付けるための３つの取付用穴が形成されており、前記取付用穴は、前記電源装置側ソケットに設定された基準点を中心とする円周に沿って形成された３つの長穴からなり、前記電源装置側ソケットに備える各接点は、前記取付用穴のそれぞれの電源装置側ソケット内に設けられている構成としてもよい。
【００２０】
本発明に係る照明器具側口金は、ＬＥＤ照明器具をＬＥＤ電源装置に取り付けるための照明器具側口金であって、前記ＬＥＤ照明器具は、複数の発光部を備えるＬＥＤモジュールを備え、前記口金を介して、ＬＥＤ電源装置からの商用交流電流を調光信号及び色温度信号により制御した定電流の直流電流が前記ＬＥＤモジュールに入力され、前記口金は、ＬＥＤ電源装置と電気的に接続する３つの接点を備えていることを特徴とする。
【００２１】
また、本発明に係る照明器具側口金は、上記の構成に加えて、前記照明器具側口金には、電源装置側ソケットに嵌合する３本の取付用軸が形成されており、前記取付用軸は、中心に設けられた中心軸と、前記中心軸を中心とする円周に沿って形成された２つの周辺軸とからなり、前記取付用軸のそれぞれは、前記照明器具側口金の接点を構成するようにしてもよい。
【００２２】
さらに、本発明に係る照明器具側口金は、上記の各構成に加えて、前記照明器具側口金には、電源装置側ソケットに嵌合する３本の取付用軸が形成されており、前記取付用軸は、前記照明器具側口金に設定された基準点を中心とする円周に沿って形成された３つの軸からなり、前記取付用軸のそれぞれは、前記照明器具側口金の接点を構成するようにしてもよい。
【００２３】
本発明に係る照明装置は、電源装置側には前記の電源装置側ソケットを備え、電源装置側ソケットと嵌合しうる構造であって、照明器具側には前記の照明器具側口金を備えることを特徴とする。
【発明の効果】
【００２４】
本発明に係るソケット及び口金は、３極の接続とし、さらに改良を加えることによって内部の構造がシンプルとなり、小型化することができた。
【図面の簡単な説明】
【００２５】
【図１】本発明の実施例１に係る第１のソケットの分解図である。
【図２】図１に示す第１のソケットにおける口金連結部を、図１における下側から見た図である。
【図３】図１に示す第１のソケットにおける口金連結部を、図１における上側から見た図である。
【図４】図１に示す第１のソケットを組み立てて、蓋側から見た図である。
【図５】図１に示す第１のソケットを組み立てて結線し、第１の口金を備えたＬＥＤ電球を嵌め込もうとする状態を上側から見た斜視図である。
【図６】図１に示す第１のソケットを組み立てて結線し、第１の口金を備えたＬＥＤ電球を嵌め込もうとする状態を下側から見た斜視図である。
【図７】第１のソケット及び第１の口金を含むＬＥＤ照明装置の概略回路図である。
【図８】本発明の実施例２に係る第２のソケットの分解図である。
【図９】図８に示す第２のソケットにおける口金連結部を、図８における下側から見た図である。
【図１０】図８に示す第２のソケットにおける口金連結部を、図８における上側から見た図である。
【図１１】図８に示す第２のソケットを組み立てて、蓋側から見た図である。
【図１２】図８に示す第２のソケットを組み立てて結線し、第２の口金を備えたＬＥＤ電球を嵌め込もうとする状態を上側から見た斜視図である。
【図１３】図８に示す第２のソケットを組み立てて結線し、第２の口金を備えたＬＥＤ電球を嵌め込もうとする状態を下側から見た斜視図である。
【発明を実施するための形態】
【００２６】
次に本発明の好適な実施例を添付の図面に基づいて詳細に説明する。
【実施例１】
【００２７】
図１に示すＡは、電源装置側ソケットを示し、電源装置側ソケットＡは、ＬＥＤ電源装置ＥとＬＥＤ照明器具Ｒとを接続するための電源装置側の器具であり、かつ、ＬＥＤ照明器具ＲをＬＥＤ電源装置Ｅに取り付けるためのものである。
【００２８】
前記電源装置側ソケットＡは、口金連結具１０と導電部材２０と蓋３０とから構成される。前記導電部材２０は、ＬＥＤ照明器具Ｒと電気的に接続される接点となる３つの金属パーツ２１、２２、２３から構成される。前記蓋３０は、各金属パーツ２１、２２、２３の上端に備える端子２１ａ、２２ａ、２３ａが外部へ抜け出て結線できるように形成された切り欠き３１、３２、３３を有する。
【００２９】
前記口金連結具１０は、図１に示すように、上方が開放された有底の円筒状をなしており、その底部には、図５及び図６に示すＬＥＤ照明装置側の口金４０を取り付けるための３つの取付用穴が形成されている。前記取付用穴は、図２及び図３に示すように、そのうちの１つは、底部を形成する円形体の中心位置に形成した中心穴１１であり、前記取付用穴のうちの２つは、前記中心穴１１を中心とする円周に沿って形成された長穴１２、１３である。
【００３０】
図４は、電源装置側ソケットＡを組み立てて蓋側から見た図であり、切り欠き３１、３２、３３から端子２１ａ、２２ａ、２３ａが抜け出ている状態を示している。また、図５及び図６に示すように、蓋３０から抜け出た各端子２１ａ、２２ａ、２３ａは、それぞれ対応する３本の電線ａ、ｂ、ｃを介してＬＥＤ電源装置Ｅに繋がっている。
【００３１】
一方、ＬＥＤ照明器具Ｒ側には、図５及び図６に示すように、電源装置側ソケットＡに対応する口金４０が配されており、口金４０には、接点となる導電性の中心軸４１と、当該中心軸４１を中心としてその周辺に配された接点となる導電性の周辺軸４２、４３とが設けられている。中心軸４１は円柱状の細軸より形成され、周辺軸４２、４３は、上端部に径大部４２ａ、４３ａを備える円柱状の軸よりなる。これらの中心軸４１及び周辺軸４２、４３は、ＬＥＤ照明器具Ｒを構成する電球Ｂ内に配置された不図示の複数の発光部を備えるＬＥＤモジュールＲ１、Ｒ２に電気的に接続されている。
【００３２】
前記中心穴１１は、ＬＥＤ照明装置側の口金４０に設けられた前記中心軸４１が挿入される。前記長穴１２、１３は、円形部１２ａ、１３ａと当該円形部１２ａ、１３ａからそれぞれ連続する細長部１２ｂ、１３ｂとから構成されており、ＬＥＤ照明装置側の口金４０に設けられた前記周辺軸４２、４３の径大部４２ａ、４３ａを当該円形部１２ａ、１３ａに挿入し、細長部１２ｂ、１３ｂの方へ口金４０を回転させることにより、電源装置側ソケットＡに口金４０が固定されるようになっている。
【００３３】
前記口金連結具１０の内部には、前述した金属パーツ２１、２２、２３が収納されている。
【００３４】
金属パーツ２２、２３は同形状のものであり、当該金属パーツ２２、２３には、前記の長穴１２、１３に対応する位置にそれぞれが向かい合うように対称に配されていて、長穴１２、１３の円形部１２ａ、１３ａに挿入された口金４０の周辺軸４２、４３の径大部４２ａ、４３ａが位置する広幅領域２２ｂ、２３ｂと、周辺軸４２、４３を円形部１２ａ、１３ａから細長部１２ｂ、１３ｂに移行させたときに径大部４２ａ、４３ａが位置する細幅領域２２ｃ、２３ｃとが形成されている。そして、周辺軸４２、４３が細幅領域２２ｃ、２３ｃに位置したときに、周辺軸４２、４３と金属パーツ２２、２３とが固定的に接触して電気的に接続されることになる。
【００３５】
金属パーツ２１は、金属パーツ２２、２３とがそれぞれ両側に位置するように金属パーツ２２と金属パーツ２３との間に配されており、ＬＥＤ照明装置側の口金４０に設けられた中心軸４１が金属パーツ２１における貫通穴２１ｂに挿入されると、中心軸４１と金属パーツ２１とが接触して電気的に接続されることになる。
【００３６】
図７は、上記ＬＥＤ電源装置ＥとＬＥＤ照明器具Ｒとの回路の概略ブロック図であり、ＬＥＤ電源装置Ｅはその外部からＡＣ１００Ｖの商用交流電源ＡＣが接続されており、ＬＥＤ電源装置Ｅ内には、商用交流電源ＡＣが接続される整流平滑回路Ｅ１、整流平滑回路Ｅ１と接続する出力定電流回路Ｅ２、出力定電流回路Ｅ２と接続する色温度制御回路Ｅ３が含まれており、また、外部からの調光器Ｓ等から発信される調光信号Ｓ１と色温度信号Ｓ２とを受信する制御回路Ｅ４、制御回路Ｅ４によって制御された電流を受けて出力定電流回路Ｅ２に出力する定電流制御回路Ｅ５、及び、制御回路Ｅ４によって制御された電流を受けて色温度制御回路Ｅ３に出力するＦＥＴ駆動回路Ｅ６などが内蔵されている。
【００３７】
ＬＥＤ照明器具Ｒは、並列に接続されたＬＥＤモジュールＲ１とＬＥＤモジュールＲ２とを備えており、ＬＥＤモジュールＲ１及びとＬＥＤモジュールＲ２は、配線ａにより定電流が接続され、配線ｂ及び配線ｃにより制御された調光信号及び色温度信号が接続される。
【００３８】
当該回路により、前記ＬＥＤ電源装置Ｅは、供給される商用交流電流ＡＣを調光信号Ｓ１及び色温度信号Ｓ２により制御された定電流の直流電流を、前記電源装置側ソケットＡを介して、ＬＥＤ照明器具Ｒに出力する。そして、前記電源装置側ソケットＡにおける金属パーツ２１、２２、２３により構成される３つの接点（ブロック図における配線ａ、ｂ、ｃの電源装置側）は、ＬＥＤ照明器具Ｒに対する調光制御用接点（配線ｂ）と調色制御用接点（配線ｃ）とを含んでおり、前記口金４０を介して、ＬＥＤ電源装置Ｅからの商用交流電流を調光信号Ｓ１及び色温度信号Ｓ２により制御した定電流の直流電流が配線ｂ、ｃにより前記ＬＥＤモジュールＲ１、Ｒ２に入力されて、ＬＥＤ照明器具Ｒが発光する。
【実施例２】
【００３９】
図８に示す１Ａは、電源装置側ソケットを示し、電源装置側ソケット１Ａは、ＬＥＤ電源装置ＥとＬＥＤ照明器具１Ｒとを接続するための電源装置側の器具であり、かつ、ＬＥＤ照明器具１ＲをＬＥＤ電源装置Ｅに取り付けるためのものである。
【００４０】
前記電源装置側ソケット１Ａは、口金連結具１１０と導電部材１２０と蓋１３０とから構成される。前記導電部材１２０は、ＬＥＤ照明器具１Ｒと電気的に接続される接点となる３つの金属パーツ１２１、１２２、１２３から構成される。前記蓋１３０は、各金属パーツ１２１、１２２、１２３の上端に備える端子１２１ａ、１２２ａ、１２３ａが外部へ抜け出て結線できるように形成された切り欠き１３１、１３２、１３３を有する。
【００４１】
前記口金連結具１１０は、図１に示すように、上方が開放された有底の円筒状をなしており、その底部には、図１２及び図１３に示すＬＥＤ照明装置側の口金１４０を取り付けるための３つの取付用穴が形成されている。前記取付用穴は、図９及び図１０に示すように、底部を形成する円形体の中心を基準点とする円周に沿って形成された３つの長穴１１１、１１２、１１３から構成される。
【００４２】
図１１は、電源装置側ソケット１Ａを組み立てて蓋側から見た図であり、切り欠き１３１、１３２、１３３から端子１２１ａ、１２２ａ、１２３ａが抜け出ている状態を示している。また、図１２及び図１３に示すように、蓋１３０から抜け出た各端子２１ａ、２２ａ、２３ａは、それぞれ対応する３本の電線ａ、ｂ、ｃを介してＬＥＤ電源装置Ｅに繋がっている。
【００４３】
一方、ＬＥＤ照明器具１Ｒ側には、図１２及び図１３に示すように、電源装置側ソケット１Ａに対応する口金１４０が配されており、口金１４０には、口金１４０を形成する円形の中心を中心として、接点となる導電性の周辺軸１４１、１４２、１４３が設けられている。周辺軸１４１、１４２、１４３は、上端部に径大部１４１ａ、１４２ａ、１４３ａを備える円柱状の軸よりなる。これらの周辺軸１４１、１４２、１４３は、ＬＥＤ照明器具１Ｒを構成する電球１Ｂ内に配置された不図示の複数の発光部を備えるＬＥＤモジュールＲ１、Ｒ２に電気的に接続されている。
【００４４】
前記長穴１１１、１１２、１１３は、円形部１１１ａ、１１２ａ、１１３ａと当該円形部１１１ａ、１１２ａ、１１３ａからそれぞれ連続する細長部１１１ｂ、１１２ｂ、１１３ｂとから構成されており、ＬＥＤ照明装置側の口金１４０に設けられた前記周辺軸１４１、１４２、１４３の径大部１４１ａ、１４２ａ、１４３ａを当該円形部１１１ａ、１１２ａ、１１３ａに挿入し、細長部１１１ｂ、１１２ｂ、１１３ｂの方へ口金１４０を回転させることにより、電源装置側ソケット１Ａに口金１４０が固定されるようになっている。
【００４５】
前記口金連結具１１０の内部には、前述した金属パーツ１２１、１２２、１２３が収納されている。
【００４６】
金属パーツ１２１、１２２、１２３は同形状のものであり、当該金属パーツ１２１、１２２、１２３には、前記の長穴１１１、１１２、１１３に対応する位置にそれぞれ配されていて、長穴１１１、１１２、１１３の円形部１１１ａ、１１２ａ、１１３ａに挿入された口金１４０の周辺軸１４１、１４２、１４３の径大部１４１ａ、１４２ａ、１４３ａが位置する広幅領域１２１ｂ、１２２ｂ、１２３ｂと、周辺軸１４１、１４２、１４３を円形部１１１ａ、１１２ａ、１１３ａから細長部１１１ｂ、１１２ｂ、１１３ｂに移行させたときに径大部１４１ａ、１４２ａ、１４３ａが位置する細幅領域１２１ｃ、１２２ｃ、１２３ｃとが形成されている。そして、周辺軸１４１、１４２、１４３が細幅領域１２１ｃ、１２２ｃ、１２３ｃに位置したときに、周辺軸１４１、１４２、１４３と金属パーツ１２１、１２２、１２３とが固定的に接触して電気的に接続されることになる。
【００４７】
なお、上記ＬＥＤ電源装置ＥとＬＥＤ照明器具１Ｒとの回路及び配線については、実施例１と同様であるので、図７及び図７についての上記の説明を援用する。
【００４８】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００４９】
Ａ・・・電源装置側ソケット
Ｅ・・・ＬＥＤ電源装置
Ｅ１・・整流平滑回路
Ｅ２・・出力定電流回路
Ｅ３・・色温度制御回路
Ｓ・・・調光器
Ｓ１・・調光信号
Ｓ２・・色温度信号
Ｅ４・・制御回路
Ｅ５・・定電流制御回路
Ｅ６・・ＦＥＴ駆動回路
Ｒ・・・ＬＥＤ照明器具
Ｒ１、Ｒ２・・ＬＥＤモジュール
Ｂ・・・電球
ａ、ｂ、ｃ・・電線
１０・・口金連結具
１１・・中心穴
１２、１３・・長穴
１２ａ、１３ａ・・円形部
１２ｂ、１３ｂ・・細長部
２０・・導電部材
２１、２２、２３・・金属パーツ
２１ａ、２２ａ、２３ａ・・端子
２１ｂ・・貫通穴
２２ｂ、２３ｂ・・広幅領域
２２ｃ、２３ｃ・・細幅領域
３０・・蓋
３１、３２、３３・・切り欠き
４０・・ＬＥＤ照明器具の口金
４１・・中心軸
４２、４３・・周辺軸
４２ａ、４３ａ・・径大部
１Ａ・・・電源装置側ソケット
１Ｒ・・・ＬＥＤ照明器具
１Ｂ・・・電球
１１０・・口金連結具
１１１、１１２、１１３・・長穴
１１１ａ、１１２ａ、１１３ａ・・円形部
１１１ｂ、１１２ｂ、１１３ｂ・・細長部
１２０・・導電部材
１２１、１２２、１２３・・金属パーツ
１２１ａ、１２２ａ、１２３ａ・・端子
１２１ｂ、１２２ｂ、１２３ｂ・・広幅領域
１２１ｃ、１２２ｃ、１２３ｃ・・細幅領域
１３０・・蓋
１３１、１３２、１３３・・切り欠き
１４０・・ＬＥＤ照明器具の口金
１４１、１４２、１４３・・周辺軸
１４１ａ、１４２ａ、１４３ａ・・径大部
【図１】
2020173929.tif 000003
【図２】
2020173929.tif 000004
【図３】
2020173929.tif 000005
【図４】
2020173929.tif 000006
【図５】
2020173929.tif 000007
【図６】
2020173929.tif 000008
【図７】
2020173929.tif 000009
【図８】
2020173929.tif 000010
【図９】
2020173929.tif 000011
【図１０】
2020173929.tif 000012
【図１１】
2020173929.tif 000013
【図１２】
2020173929.tif 000014
【図１３】
2020173929.tif 000015